(57)【要約】      （修正有）【課題】板状材料を折曲げて、雛壇状に高低差のある数段の棚を、各段の高さ、各段の背もたれ部の傾きを安定的に簡単に形成することを可能とした商品展示具を提供する。【解決手段】商品展示具は、左右の壁部４、４で囲まれた内側に高低差の異なる複数の壇が形成されている。左右の壁部には、商品展示具が設置される展示スペース面となす角度が鋭角θの長さ方向をもつ折線で折り返される一対のフラップ９が設けられている。棚部１１は帯体であり、幅方向の折線で折曲げて、高低差の異なる複数の壇の前側壁５ａと背もたれ部５ｂを構成する。前側の壇の背もたれ部と折線を介してこれに続く後側の壇の前壁部は、一対のフラップ９を挟み込んで固定されている。【選択図】図２
0003208860.tif 000002
【実用新案登録請求の範囲】
【請求項１】
左右の壁部で囲まれた内側に高低差の異なる複数の壇が形成された商品展示具において、
前記左右の壁部から、商品展示具が設置される展示スペース面となす角度が鋭角θの長さ方向をもつ折線で折り返される一対のフラップと、
帯体を幅方向の折線で折曲げて、高低差の異なる複数の壇の前側壁と背もたれ部を構成する棚部とを有し、
前側の壇の背もたれ部と折線を介してこれに続く後側の壇の前壁部は、前記一対のフラップを挟み込んで固定されていることを特徴とする商品展示具。
【請求項２】
請求項１の商品展示具において、前記固定は、背もたれ部と折線を介してこれに続く後側の壇の前壁部により一対のフラップを挟み込んで、これら挟み込んだ部分をホッチキスの針が貫通して成されていることを特徴とする商品展示具。
【考案の詳細な説明】
【技術分野】
【０００１】
本考案は、雛壇状に商品を表示できるようにする商品展示具に関する。
【背景技術】
【０００２】
商店の店頭においては、店舗から割り当てられた限られたスペースに、多様な商品を目立つように展開・陳列するため、その場で簡単に組立てて設置可能な商品展示具が開発されている。商品をやや後ろに傾斜した角度をもたせると、商品の正面が消費者に対して正対する。よって、見栄え良く展示するため各段において商品を傾斜させる背もたれ部に角度を持たせることは、雛壇として欠くことのできない構成である。
【０００３】
厚紙や段ボール等を折曲げて、雛壇状に高低差のある数段の棚を形成する場合、各段の高さ、各段の背もたれ部の傾きを安定的に形成することが難しい。例えば、特許文献１では、棚の位置を固定するために、棚の辺の両端を折り曲げた連結片をプラスチックのボルトで、側板部の通し穴にとめている。また、特許文献２では、高さの異なる段を小手別に折り畳み、これらを連結することにより、雛壇を形成している。
【先行技術文献】
【特許文献】
【０００４】
【特許文献１】特開２０１０−２５２９５０号公報
【特許文献２】特開２００９−２９１３７７号公報
【考案の開示】
【考案が解決しようとする課題】
【０００５】
特許文献１の商品展示具では、ボルトのような部材を別途、用意せねばならない。また、特許文献２の商品展示具では、高さの異なる段を多数寄せ集めており手間が多く、かつ各段をきちんと接合しないと雛壇としての一体性に欠ける。いずれの商品展示具においても、メーカの担当者が出先の店舗で、商品展示に割り当てられたスペースに簡単に雛壇を設置することは難しい。
【０００６】
本考案の目的は、板状材料を折曲げて、雛壇状に高低差のある数段の棚を、各段の高さ、各段の背もたれ部の傾きを安定的に形成することを可能とした商品展示具を提供することにある。
【課題を解決するための手段】
【０００７】
本考案の商品展示具は、左右の壁部で囲まれた内側に高低差の異なる複数の壇が形成された商品展示具において、
前記左右の壁部から、商品展示具が設置される展示スペース面となす角度が鋭角θの長さ方向をもつ折線で折り返される一対のフラップと、
帯体を幅方向の折線で折曲げて、高低差の異なる複数の壇の前側壁と背もたれ部を構成する棚部とを有し、
前側の壇の背もたれ部と折線を介してこれに続く後側の壇の前壁部は、前記一対のフラップを挟み込んで固定されていることを特徴とする。
【考案の効果】
【０００８】
本考案によれば、板状材料の折り返しにより形成される雛壇状の商品展示具において、雛壇の背もたれ部の傾斜角度を安定的に維持して、商品の見栄え良く展示することが可能であるという効果がある。
【図面の簡単な説明】
【０００９】
【図１】実施例による商品展示具を示す図である。
【図２】商品展示具の分解図を示す図である。
【図３】商品展示具の展開図である。
【考案を実施するための形態】
【００１０】
図１は、商品展示具１を示す図である。商品展示具１は、紙製、ボール紙製等の板状材料若しくは、人力で折曲げることが可能な樹脂や金属製の板状材料で形成された雛壇状の商品展示具である。商品展示具１は、正面板２、背面板３と、左右の側板４、４により四側方を囲い、その内側に高さの異なる壇Ｄ１〜Ｄ３を複数段設けられている。
【００１１】
左右の側板４、４は、店舗の展示スペース面Ｐに接触する辺４ａ、展示スペース面Ｐに対して微少角度αだけせり上がった辺４ｂ、展示スペース面Ｐに対して各段の壇Ｄ１〜Ｄ３の高低差に対応した傾斜角度βの斜辺４ｃ、及び前後の対辺４ｄ、４ｅを有している。角度αだけせり上がらせているのは、商品陳列の際に商品展示具１を前傾姿勢させて、商品を容易に投入可能なようにするためである。各壇Ｄ１〜Ｄ３は、夫々前側に位置する低い前壁部５ａ、後側に位置する高い背もたれ部５ｂ及び前壁部５ａと背もたれ部５ｂとの間の床部５ｃを有している。床部５ｃは、幅ｈであり、奥行きｋである。各壇Ｄ１〜Ｄ３は、必要に応じて横方向に複数の区画に分割できる分割壁５ｄを１又は２以上有している。前後の壇Ｄ１〜Ｄ３では、背もたれ部５ｂの上側の一部が前壁部５ａと重なりあっている箇所も存在している。
【００１２】
図２は、商品展示具１の分解図を示している。図２Ａは商品展示具１の部品図であり、図２Ｂは組立て途中を示している。また、図３は、展開図を示している。図３中、点線は、谷折りを示し。一点鎖線は山折りを示している。実線は切り取り線である。
【００１３】
商品展示具１は、基体部１０、棚部１１、仕切部１２とを有している。基体部１０は、主に、側板４、４と、側板４、４を幅ｈの間隔を開けて連結する連結部６、及び正面板２と背面板３の一部の構成要素となる折曲げ部７、７（前側）、折曲げ部８、８（後側）を有している。さらに、側板４、４からは、フラップ９が設けられている。フラップ９は、展示スペース面Ｐ若しくは辺４ａとなす角度が鋭角θの長さ方向をもつ折線が切り残された状態で部分的に切り出されており、この鋭角θの折線に沿って折り返されている。この結果、フラップ９が、背もたれ部５ｂの位置と傾斜角度を規定することになる。
【００１４】
棚部１１は、図３の展開図に示されるように、幅ｈに収まる帯体であり、図２Ａに示されるように、幅ｈの方向に設けられた点線、一点鎖線の折線で折り返されることにより、高低差の異なる壇Ｄ１〜Ｄ３を構成する。仕切部１２には、壇Ｄ１〜Ｄ３を２つの区画に分割するもの（分割壁５ｄが１つ）と、３つの区画に分割するもの（分割壁５ｄが２つ）がある。いずれも、図２Ａの状態に折曲げたときに幅ｈに収まる長さとなって、壇Ｄ１〜Ｄ３の床部５ｃを形成する。仕切部１２は必ずしも壇Ｄ１〜Ｄ３に設置しなくてもよく、仕切部１２が設置されない場合は、床部５ｃは棚部１１の床部５ｃにより形成される。仕切部１２には、分割壁５ｄとなる後側に突出片１２ａが設けられている。
【００１５】
棚部１１には、突出片を挿入するための各種長孔１１ｂ、１１ｃ、１１ｄが設けられている。棚部１１の端辺に設けられた突出片１１ａは、長孔１１ｂに挿入される。また、折曲げ部８、８の端部に設けられた突出片８ａは、長孔１１ｄに挿入される。突出片１２ａは、長孔１１ｃに挿入される。
【００１６】
図２Ｂにおいて、側板４、４は、強度を増加するために２つ折りされた状態になっている。そのうち、内側に対向状に一対のフラップ９が２組設けられている。側板４、４に対して、背もたれ部５ｂと折線を介してこれに続く前壁部５ａを固定する。このとき、前後の壇Ｄ１〜Ｄ３のうち、背もたれ部５ｂの上側の一部が前壁部５ａと重なりあっている箇所においては、背もたれ部５ｂと前壁部５ａとにより一対のフラップ９を挟み込んで固定する。固定には、接着剤、粘着テープなどを用いても良いが、出先においても容易に手に入るホッチキスの針１３（図１）を用いて止めるのが便利である。背もたれ部５ｂの上側の一部が前壁部５ａと重なりあっている箇所においては、一対のフラップ９を背もたれ部５ｂと前壁部５ａとによりを挟み込んだ状態で、ホッチキスをあてがい、ホッチキスの針でこれら挟み込んだ部分を貫通させて固定する。
【００１７】
フラップ９は、展示スペース面Ｐ（若しくは辺４ａ）に対して角度θを有して、内側に折り返されている。そのような角度のフラップ９を背もたれ部５ｂと前壁部５ａとで挟み付けて固定するため、背もたれ部５ｂの角度が、角度θに維持されるのである。また、フラップ９の位置により、壇Ｄ１〜Ｄ３の位置を決定することができる。
【符号の説明】
【００１８】
１  商品展示具
２  正面板
３  背面板
４  左右の側板
５ａ  前壁部
５ｂ  背もたれ部
６  連結部
７、８  折曲げ部
９  フラップ
１０  基体部
１１  棚部
１２  仕切部
１３  ホッチキスの針
【図１】
0003208860.tif 000003
【図２】
0003208860.tif 000004
【図３】
0003208860.tif 000005